(57)【特許請求の範囲】
【請求項１】
共通制御チャンネル（ＣＣＣＨ）のハイブリッドオートマティックリピートリクエスト（ＨＡＲＱ）情報の取得方法であって、
ベースステーションが無線ネットワーク制御装置(ＲＮＣ)からのＣＣＣＨに用いられたＨＡＲＱ情報を指示するためのリクエストメッセージを受信する手順と、
前記ベースステーションが、前記リクエストメッセージに基づいて、ＣＣＣＨに用いられたＨＡＲＱ情報を取得する手順と、を含み、
前記ベースステーションが前記リクエストメッセージに基づいてＣＣＣＨに用いられたＨＡＲＱ情報を取得する手順が、
前記ベースステーションが、共通Ｅ−ＤＣＨ ＭＡＣフローのＩＤを含む前記リクエストメッセージからＣＣＣＨに対応する共通Ｅ−ＤＣＨ ＭＡＣフローのＩＤを取得する手順と、
前記ベースステーションが、前記共通Ｅ−ＤＣＨ ＭＡＣフローのＩＤに基づいて当該ＩＤに対応するＨＡＲＱ情報を取得する手順と、を含むことを特徴とする方法。
【請求項２】
前記リクエストメッセージが、ＣＣＣＨに用いられたＨＡＲＱ情報を含むことを特徴とする請求項１に記載の方法。
【請求項３】
前記ＣＣＣＨに用いられたＨＡＲＱ情報が、Ｅ−ＤＣＨ ＨＡＲＱのパワーオフセットと、Ｅ−ＤＣＨの最大再送信回数の中の少なくとも１つを含むことを特徴とする請求項１又は請求項２に記載の方法。
【請求項４】
前記リクエストメッセージが、物理共有チャンネルのリコンフィギュレーションリクエストメッセージであることを特徴とする請求項１又は請求項２に記載の方法。
【請求項５】
前記ベースステーションが前記リクエストメッセージに基づいてＣＣＣＨに用いられたＨＡＲＱ情報を取得した後、
前記ベースステーションが前記ＲＮＣに、物理共有チャンネルのリコンフィギュレーション応答メッセージを含む応答メッセージを送信する手順を更に含むことを特徴とする請求項１乃至３の中のいずれかに記載の方法。
【請求項６】
前記ベースステーションが前記リクエストメッセージに基づいてＣＣＣＨに用いられたＨＡＲＱ情報を取得した後、
前記ベースステーションが前記ＲＮＣに、物理共有チャンネルのリコンフィギュレーション応答メッセージを含む応答メッセージを送信する手順を更に含むことを特徴とする請求項４に記載の方法。
【請求項７】
共通制御チャンネル(ＣＣＣＨ)のハイブリッドオートマティックリピートリクエスト（ＨＡＲＱ）情報の取得装置であって、
無線ネットワーク制御装置(ＲＮＣ)からのＣＣＣＨに用いられたＨＡＲＱ情報を指示するためのリクエストメッセージを受信する受信モジュールと、
前記リクエストメッセージに基づいて、ＣＣＣＨに用いられたＨＡＲＱ情報を取得する取得モジュールと、を含み、
前記取得モジュールが、
共通Ｅ−ＤＣＨ ＭＡＣフローのＩＤを含む前記リクエストメッセージからＣＣＣＨに対応するＥ−ＤＣＨ ＭＡＣフローのＩＤを取得する第一取得サブモジュールと、
前記共通Ｅ−ＤＣＨ ＭＡＣフローのＩＤに基づいて、当該ＩＤに対応するＨＡＲＱ情報を取得する第二取得サブモジュールと、を含むことを特徴とする装置。
【請求項８】
前記取得モジュールが、
ＣＣＣＨに用いられたＨＡＲＱ情報を含む前記リクエストメッセージから前記ＣＣＣＨに用いられたＨＡＲＱ情報を取得する第三取得サブモジュールを更に含むことを特徴とする請求項７に記載の装置。
【発明の詳細な説明】
【技術分野】
【０００１】
本発明は、通信分野に関し、具体的には、共通制御チャンネルのハイブリッドオートマティックリピートリクエスト（Hybrid  Automatic  Repeat  Request、以下、ＨＡＲＱと称する）情報を取得するための方法及び装置に関する。
【背景技術】
【０００２】
モバイル通信システムの進化につれ、現在、ユーザーに良い業務サービスを提供することは各キャリアーの目標になっている。業務サービスの品質はサービスエフェクトに影響すると同時に、提供したサービスにユーザーが満足するかを判断する際の基準でもある。新規接続とチャンネル配分時のタイムラグが存在する上に、スモールデータパケット業務も比較的に頻繁に行うため、共通チャンネルをいかに有効に動作させるかはユーザー向けサービス品質向上に繋がるポイントとなる。例えば、アップリンクとダウンリンクのシグナリングディレイを減らすのが一つの手段である。
【０００３】
アップリンクのシグナリングディレイを減らすためには、下記の点を考えなければならない。
【０００４】
（１）ＩＤＬＥモード、ＣＥＬＬ＿ＦＡＣＨ、ＣＥＬＬ＿ＰＣＨとＵＲＡ＿ＰＣＨ状態でのユーザー側、制御側のウェーティングタイムを減らすこと。
（２）ＣＥＬＬ＿ＦＡＣＨ状態のピークレートを増やすこと。
（３）ｉｄｌｅ、ＣＥＬＬ＿ＦＡＣＨ、ＣＥＬＬ＿ＰＣＨとＵＲＡ＿ＰＣＨ、ＣＥＬＬ＿ＤＣＨ、各状態間の遷移時の遅延を減らすこと。
【０００５】
上記の目的を達成するために、Ｉｄｌｅモードにて、ＣＥＬＬ＿ＦＡＣＨ状態で、高速アップリンクパケットアクセス（High  Speed  Uplink  Packet  Access、以下ＨＳＵＰＡと称する）方式を導入することができる。本書では、Ｉｄｌｅ状態とＣＥＬＬ＿ＦＡＣＨ状態でＨＳＵＰＡ方式を使用することをアップリンクＣＥＬＬ＿ＦＡＣＨ強化技術と称する。
【０００６】
アップリンクＣＥＬＬ＿ＦＡＣＨ技術の原理について、ランダムアクセスの送信原理は従来通り、ＰＲＡＣＨのランダムアクセスプロセスを採用するが、チャンネルタイプが変更された。つまり、ｉｄｌｅモードやＣＥＬＬ＿ＦＡＣＨ状態にて、強化された専用チャンネル（Enhanced  Dedicated  Channel、以下Ｅ−ＤＣＨと称する）、共通制御チャンネル（Common  Control  Channel、以下ＣＣＣＨと称する）/専用制御チャンネル（Dedicated  Control  Channel、以下ＤＣＣＨと称する）/専用トラフィックチャンネル（Dedicated  Traffic  Channel、以下ＤＴＣＨと称す）などのロジカルチャンネルを用い、Ｅ−ＤＣＨにマッピングし送信することができる。
【０００７】
現在、３ＧＰＰプロトコルにより、Iubインタフェースはｉｄｌｅ状態とＣＥＬＬ＿ＦＡＣＨ状態に利用されるアップリンク共通Ｅ−ＤＣＨ  ＭＡＣ（Medium  Access  Control、媒体アクセス制御）フローを定義した。アップリンク共通Ｅ−ＤＣＨ  ＭＡＣフロー毎に、複数の共通Ｅ−ＤＣＨ  ＭＡＣ−ｄ  ｆｌｏｗ情報が存在する。また、共通Ｅ−ＤＣＨ  ＭＡＣ−ｄ  ｆｌｏｗ情報は下記のインフォメーションを含む：Ｅ−ＤＣＨ  ＭＡＣフローのパワーオフセット、最大再送信回数、そして、異なるＭＡＣフローに利用されるＰＤＵを一つのＭＡＣ-i  ＰＤＵに多重化可能かの情報。共通Ｅ−ＤＣＨ  ＭＡＣ−ｄ  ｆｌｏｗ情報はＤＣＣＨとＤＴＣＨロジカルチャンネルに用いられたもので、現在、３ＧＰＰプロトコルが定義したインタフェースには、ＣＣＣＨロジカルチャンネルに用いられた共通Ｅ−ＤＣＨ  ＭＡＣフロー情報が含まれていない。そのため、ＵＥから送信したＣＣＣＨロジカルチャンネルに用いられたＨＡＲＱ  ｐｒｏｆｉｌｅ情報をＮｏｄｅ  Ｂに通知できないため、Ｎｏｄｅ  Ｂでは、ＣＣＣＨロジカルチャンネルのデータを正確に受信できないことがある。
【０００８】
関連技術におけるＣＣＣＨチャンネルに用いられたＨＡＲＱ情報を取得できない問題について、未だに有効なソリューションがないと言える。
【発明の概要】
【発明が解決しようとする課題】
【０００９】
関連技術においてＣＣＣＨチャンネルに用いられたＨＡＲＱ情報を取得できない問題に鑑み、本発明は、上記の問題を解決するため、ＣＣＣＨチャンネルのＨＡＲＱ情報取得方法及び装置を提供することを目的とする。
【課題を解決するための手段】
【００１０】
上記の目的を果たすため、本発明の一態様によると、共通制御チャンネルＣＣＣＨのＨＡＲＱ情報を取得する方法が提供される。
【００１１】
本発明によるＣＣＣＨのＨＡＲＱ情報の取得方法は、ベースステーションが無線ネットワーク制御装置(ＲＮＣ)からのＣＣＣＨに用いられたＨＡＲＱ情報を指示するためのリクエストメッセージを受信する手順と、上記のベースステーションがこのリクエストメッセージに基づいて、ＣＣＣＨに用いられたＨＡＲＱ情報を取得する手順と、を含み、ベースステーションがリクエストメッセージに基づいてＣＣＣＨに用いられたＨＡＲＱ情報を取得する手順が、ベースステーションが、共通Ｅ−ＤＣＨ ＭＡＣフローのＩＤを含むリクエストメッセージからＣＣＣＨに対応する共通Ｅ−ＤＣＨ ＭＡＣフローのＩＤを取得する手順と、ベースステーションが、共通Ｅ−ＤＣＨ ＭＡＣフローのＩＤに基づいて当該ＩＤに対応するＨＡＲＱ情報を取得する手順と、を含む。
【００１２】
上記の目的を実現するため、本発明の他の一態様によると、ＣＣＣＨチャンネルのＨＡＲＱ情報を取得する装置が提供される。
【００１３】
本発明によるＣＣＣＨのＨＡＲＱ情報取得装置は、無線ネットワーク制御装置(ＲＮＣ)からのＣＣＣＨのＨＡＲＱ情報を指示するためのリクエストメッセージを受信する受信モジュールと、上記のリクエストメッセージに基づいて、ＣＣＣＨに用いられたＨＡＲＱ情報を取得する取得モジュールと、を含み、取得モジュールが、共通Ｅ−ＤＣＨ ＭＡＣフローのＩＤを含むリクエストメッセージからＣＣＣＨに対応するＥ−ＤＣＨ ＭＡＣフローのＩＤを取得する第一取得サブモジュールと、共通Ｅ−ＤＣＨ ＭＡＣフローのＩＤに基づいて、当該ＩＤに対応するＨＡＲＱ情報を取得する第二取得サブモジュールと、を含む。
【発明の効果】
【００１４】
本発明によると、ベースステーションは無線ネットワーク制御装置からのメッセージに基づいて、共通制御チャンネル(ＣＣＣＨ)のハイブリッドオートマティックリピートリクエスト(ＨＡＲＱ)情報を取得することによって、ベースステーション（Ｎｏｄｅ  Ｂ）とＵＥは、ＣＣＣＨロジカルチャンネルとＣＣＣＨに用いられたＨＡＲＱ情報との対応関係を把握でき、Ｎｏｄｅ  Ｂの正確なデコードを確保し、シグナリングやデータの受信成功率を向上できる。
【００１５】
ここで説明する図面は本発明を理解させるためのもので、本発明の一部を構成し、本発明における実施例と共に本発明を解釈し、本発明を不当に限定するものではない。
【図面の簡単な説明】
【００１６】
【図１】本発明の実施例にかかるＣＣＣＨのＨＡＲＱ情報取得方法を示すフローチャートである。
【図２】本発明の実施例１にかかるＣＣＣＨのＨＡＲＱ情報取得方法を示す詳細なフローチャートである。
【図３】本発明の実施例２にかかるＣＣＣＨのＨＡＲＱ情報取得方法を示す詳細なフローチャートである。
【図４】本発明の実施例にかかるＣＣＣＨのＨＡＲＱ情報取得装置を示す構成図である。
【発明を実施するための形態】
【００１７】
下記では図面を参照しつつ実施例に合わせて、本発明を詳しく説明する。特に、矛盾のない限り、本願に記載されている各実施例や実施例の特徴を互いに組み合わせることができる点に留意されたい。
【００１８】
関連技術においてＣＣＣＨチャンネルに用いられたＨＡＲＱ情報を取得できない問題に鑑み、本発明は、ＣＣＣＨチャンネルのＨＡＲＱ情報取得方法及び装置を提供する。本発明の解決案によると、ベースステーションは無線ネットワーク制御装置からのシグナリングに基づいて、ＣＣＣＨのＨＡＲＱ情報を取得することによって、ベースステーション（Ｎｏｄｅ  Ｂ）とＵＥはＣＣＣＨロジカルチャンネルとＣＣＣＨに用いられたＨＡＲＱ情報との対応関係を把握でき、Ｎｏｄｅ  Ｂ側の正確なデコードを確保して、シグナリングやデータの受信成功率を向上できる。
【００１９】
本発明の実施例によると、ＣＣＣＨチャンネルのＨＡＲＱ情報の取得方法を提供する。図１のように、以下の手順を含む：
【００２０】
ベースステーション側は無線ネットワーク制御装置(ＲＮＣ)からのリクエストメッセージを取得する（Ｓ１０２）。このリクエストメッセージはＣＣＣＨに用いられたＨＡＲＱ情報を指示するためのものである。
上記のベースステーション側は上記のリクエストメッセージに基づいて、ＣＣＣＨに用いられたＨＡＲＱ情報を取得する（Ｓ１０４）。
【００２１】
上記のリクエストメッセージが、上記の共通Ｅ−ＤＣＨ  ＭＡＣフローのＩＤを含むことができ、ベースステーションは、上記のリクエストメッセージを受信した後、リクエストメッセージから、ＣＣＣＨに対応する共通Ｅ−ＤＣＨ  ＭＡＣフローのＩＤを取得する。その後、ベースステーションは、共通Ｅ−ＤＣＨ  ＭＡＣフローのＩＤに基づいてＣＣＣＨに対応するＨＡＲＱ情報を取得することが好ましい。
【００２２】
上記のリクエストメッセージが、ＣＣＣＨに用いられたＨＡＲＱ情報をそのまま含み、ベースステーションが、上記のリクエストメッセージを受信した後、当該リクエストメッセージから直接ＣＣＣＨに用いられたＨＡＲＱ情報を取得することが好ましい。
【００２３】
ＣＣＣＨに用いられたＨＡＲＱ情報は、Ｅ−ＤＣＨ  ＨＡＲＱのパワーオフセットと、Ｅ−ＤＣＨの最大再送信回数の中の少なくとも１つを含むことが好ましい。
【００２４】
[実施例１]
図２は、本発明の実施例１に係わるＣＣＣＨのＨＡＲＱ情報の取得方法を示す詳細なフローチャートである。図２のように、ベースステーションは無線ネットワーク制御装置（Radio  Net  Control、ＲＮＣと略す）からのリクエストメッセージに基づいてＣＣＣＨに用いられたＨＡＲＱ情報を取得する。詳細な手順は以下の通りである。
【００２５】
無線ネットワーク制御装置はベースステーション（Ｎｏｄｅ  Ｂ）に物理共有チャンネルのリコンフィギュレーションリクエストメッセージを送信する（手順Ｓ２０２）。このリコンフィギュレーションリクエストはＣＣＣＨロジカルチャンネルに対応する共通Ｅ−ＤＣＨ  ＭＡＣフローＩＤ（ccch  Common  e−DCH  Mac-d  Flow  ID）を含む。
【００２６】
ベースステーションは、物理共有チャンネルのリコンフィギュレーションリクエストからＣＣＣＨロジカルチャンネルに対応する共通Ｅ−ＤＣＨ  ＭＡＣフローＩＤを取得した後、物理共有チャンネルのリコンフィギュレーション応答リクエストメッセージを無線ネットワーク制御装置に返す（手順Ｓ２０４）。
【００２７】
システムにおいて、共通Ｅ−ＤＣＨ  ＭＡＣフローＩＤはＨＡＲＱ情報に対応しているため、ＣＣＣＨロジカルチャンネルに対応する共通Ｅ−ＤＣＨ  ＭＡＣのＩＤを取得した後、ベースステーションは、共通Ｅ−ＤＣＨ  ＭＡＣフローＩＤに基づいて、そのＩＤに対応するＨＡＲＱ情報を検出できる。つまり、ベースステーションは、ＣＣＣＨロジカルチャンネルに用いられたＨＡＲＱ情報を把握することができる。ベースステーションでは、共通Ｅ−ＤＣＨ  ＭＡＣフローＩＤとＨＡＲＱ情報とのマッピング関係をプリセーブできる。
【００２８】
上記のＣＣＣＨに用いられるＨＡＲＱ情報は、Ｅ−ＤＣＨ  ＨＡＲＱのパワーオフセットと、Ｅ−ＤＣＨの最大再送信回数の中の少なくとも一つを含むことが好ましい。
【００２９】
[実施例２]
図３は、本発明の実施例２に係わるＣＣＣＨのＨＡＲＱ情報の取得方法を示す詳細のフローチャートである。図３に示したように、ベースステーションは無線ネットワーク制御装置（ＲＮＣ）からのリクエストメッセージに基づいてＣＣＣＨに用いられたＨＡＲＱ情報を取得する。具体的には以下の手順を含む。
【００３０】
無線ネットワーク制御装置はベースステーションに物理共有チャンネルのリコンフィギュレーションリクエストを送信する（手順Ｓ３０２）。このリコンフィギュレーションリクエストはＣＣＣＨチャンネルに用いられたＨＡＲＱ情報を含み、当該ＨＡＲＱ情報は、Ｅ−ＤＣＨ  ＨＡＲＱのパワーオフセット（e-Dch  Harq  Power  Offset）と、Ｅ−ＤＣＨの最大再送信回数（Maximum  Number  Of  Retransmissions  For  e-DCH）の中の少なくとも１つを含む。
【００３１】
ベースステーションは、物理共有チャンネルのリコンフィギュレーションリクエストからＣＣＣＨロジカルチャンネルに用いられたＨＡＲＱ情報を取得した後、無線ネットワーク制御装置に物理共有チャンネルのリコンフィギュレーション応答リクエストメッセージを返す（手順Ｓ３０４）。
【００３２】
本発明によると、ベースステーションは無線ネットワーク制御装置からのリクエストメッセージに基づいて、ＣＣＣＨのＨＡＲＱ情報を取得する。こうすると、ベースステーション（Ｎｏｄｅ  Ｂ）とＵＥはＣＣＣＨロジカルチャンネルとＣＣＣＨに用いられたＨＡＲＱ情報との対応関係を把握でき、Ｎｏｄｅ  Ｂの正確なデコードを確保し、シグナリングやデータの受信成功率を向上する。
【００３３】
また、本発明の実施例により、ＣＣＣＨのＨＡＲＱ情報を取得するための装置を提供する。
【００３４】
図４は、本発明の実施例によるＣＣＣＨのＨＡＲＱ情報取得装置の構成図である。図４に示したように、当該取得装置はベースステーションに適用され、無線ネットワーク制御装置ＲＮＣからのＣＣＣＨに用いられたＨＡＲＱ情報を指示するためのリクエストメッセージを受信する受信モジュール４０２と、上記のリクエストメッセージに基づいてＣＣＣＨに用いられたＨＡＲＱを取得する取得モジュール４０４と、を含む。
【００３５】
上記の取得モジュールは、上記共通Ｅ−ＤＣＨ  ＭＡＣフローＩＤを含む上記リクエストメッセージから、ＣＣＣＨに対応する共通Ｅ−ＤＣＨ  ＭＡＣフローＩＤを取得する第一取得サブモジュール４０６と、上記の共通Ｅ−ＤＣＨ  ＭＡＣフローＩＤに基づいて、そのＩＤに対応するＨＡＲＱ情報を取得する第二取得サブモジュール４０８と、を含む。
【００３６】
上記の取得モジュールは、更に、ＣＣＣＨに用いられたＨＡＲＱ情報を含む上記のリクエストメッセージから上記のＣＣＣＨに用いられたＨＡＲＱ情報を取得する第三取得サブモジュール４１０を含むことが好ましい。
【００３７】
上記のリクエストメッセージが上記共通Ｅ−ＤＣＨ  ＭＡＣフローＩＤを含み、ベースステーションの受信モジュール４０２が、上記のリクエストメッセージを受信した後、第一取得サブモジュール４０６によって、当該リクエストメッセージからＣＣＣＨに対応する共通Ｅ−ＤＣＨ  ＭＡＣフローＩＤを取得することが好ましい。
【００３８】
システムにおいて、共通Ｅ−ＤＣＨ  ＭＡＣフローＩＤは当該ＨＡＲＱ情報に対応しているため、ＣＣＣＨロジカルチャンネルに対応する共通Ｅ−ＤＣＨ  ＭＡＣフローＩＤを取得した後、第二取得サブモジュール４０８は、上記の共通Ｅ−ＤＣＨ  ＭＡＣフローＩＤに基づいて、当該ＩＤに対応するＨＡＲＱ情報を取得する。例えば、第二取得サブモジュール４０８は当該共通Ｅ−ＤＣＨ  ＭＡＣフローＩＤに基づいて、そのＩＤに対応するＨＡＲＱ情報を探すことができる。つまり、ベースステーションは、ＣＣＣＨに用いられたＨＡＲＱ情報を把握できる。ここで、ベースステーションは共通Ｅ−ＤＣＨ  ＭＡＣフローＩＤとＨＡＲＱ情報とのマッピング関係をプリセットできる。
【００３９】
上記のリクエストメッセージがＣＣＣＨに用いられたＨＡＲＱ情報をそのまま含み、ベースステーションの受信モジュール４０２が上記のリクエストメッセージを受信した後、当該リクエストメッセージからＣＣＣＨに用いられたＨＡＲＱ情報を直接取得するように第三取得サブモジュール４１０に報知することが好ましい。
【００４０】
上記の場合、ＣＣＣＨに用いられるＨＡＲＱ情報は、Ｅ−ＤＣＨ  ＨＡＲＱのパワーオフセットと、Ｅ−ＤＣＨの最大再送信回数の中の少なくとも１つを含む。
【００４１】
上記のリクエストメッセージが物理共有チャンネルのリコンフィギュレーションリクエストメッセージであることが好ましい。
【００４２】
上記の実施例に記載された取得装置が、リクエストメッセージに基づいてＣＣＣＨに用いられるＨＡＲＱを取得した後、物理共有チャンネルのリコンフィギュレーション応答メッセージを含む応答メッセージをＲＮＣに送信することが好ましい。
【００４３】
本発明によると、ベースステーション側は無線ネットワーク制御装置からのメッセージに基づいてＣＣＣＨに用いられたＨＡＲＱ情報を取得することによって、ベースステーション（Ｎｏｄｅ  Ｂ）とＵＥはＣＣＣＨロジカルチャンネルとＣＣＣＨに用いられたＨＡＲＱ情報との対応関係を把握でき、Ｎｏｄｅ  Ｂの正確なデコードを確保し、シグナリングやデータの受信成功率を向上する。
【００４４】
特に、フローチャートに示した手順について、コマンド実行可能なコンピューターシステムで実施可能であって、そして、フローチャートにロジカルシーケンスを示したが、場合によって、フローチャートに示した又は説明した手順を他の順で実施することも可能である点に留意されたい。
【００４５】
当業者にとって、上述の本発明の各ブロック又は各ステップは共通の計算装置によって実現することができ、単独の計算装置に集中させることもできれば、複数の計算装置から構成されるネットワークに分散させることもでき、さらに計算装置は、実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの組み合わせにも限定されない。
【００４６】
以上は、本発明の好適な実施例に過ぎず、本発明を限定するものではない。当業者であれば本発明に様々な修正や変形が可能である。本発明の精神や原理内での如何なる修正、置換、改良などは本発明の保護範囲内に含まれる。
【図１】
0005557921.tif 000002
【図２】
0005557921.tif 000003
【図３】
0005557921.tif 000004
【図４】
0005557921.tif 000005